【手続補正書】
【提出日】平成30年7月17日(2018.7.17)
【手続補正１】
【補正対象書類名】明細書
【補正対象項目名】００３４
【補正方法】変更
【補正の内容】
【００３４】
あるいは、特定のシートに分離された印刷パターン、若しくは複数のシートに及ぶ印刷パターン、又はこれら２つを組み合わせた印刷パターンにより、複数の印刷材料シートを部品に位置合わせすることもできる。次いで、３Ｄ印刷部品上の特定の特徴に複数のシートを位置合わせすることができ、場合により、前述の高い共形性を有するフィルムで実現されうるものより複雑な部品の包装を可能にすることができる。本発明の実施態様の一部を以下の［項目１］−［項目２６］に記載する。
［項目１］
順次３Ｄ積層によって作られた、少なくとも第１の表面を有する３次元印刷オブジェクトの表面を修正する方法であって、
ステップ型の印刷アーティファクトを有する３次元印刷オブジェクトの前記第１の表面に、伸張可能な接着剤付きフィルムを取り付ける工程を含み、前記接着剤付きフィルムが、第１の主表面及び第２の主表面を有する基材を含み、前記第２の主表面上に接着剤層が配置されており、
前記取り付ける工程が、前記接着剤付きフィルムの区域を伸張させることと、前記区域を前記第１の表面の一区域上へ押し付けることとを含み、
前記第１の表面の前記区域に関連する前記ステップ型の印刷アーティファクトが、前記取り付ける工程の後に実質上検出不能である、方法。
［項目２］
前記取り付ける工程が、前記接着剤層を前記第１の表面に密着させることを更に含む、項目１に記載の方法。
［項目３］
前記接着剤付きフィルムを取り付ける工程の前に、前記第１の表面を前処理する工程を更に含む、項目１に記載の方法。
［項目４］
前記接着剤層が感圧接着剤を含む、項目１に記載の方法。
［項目５］
前記取り付ける工程が、前記接着剤付きフィルムの前記区域に熱を加えることを更に含み、前記区域を押し付けることが、前記接着剤付きフィルムの前記熱が加えられた区域を押し付けることを含む、項目１に記載の方法。
［項目６］
前記伸張可能な接着剤付きフィルムがコンプライアントフィルムである、項目１に記載の方法。
［項目７］
前記接着剤層が連続した接着剤層である、項目１に記載の方法。
［項目８］
前記基材が公称厚さを有し、前記接着剤層が公称厚さを有し、前記基材及び前記接着剤層の前記公称厚さが合わせて０．５ミル〜１５ミル（０．０１ｍｍ〜０．４ｍｍ）である、項目１に記載の方法。
［項目９］
前記取り付ける工程の一部として行われる前記押し付けることが、スキージを用いて行われる、項目１に記載の方法。
［項目１０］
前記基材の第１の主表面が、機能表面を構成する、項目１に記載の方法。
［項目１１］
前記機能表面が、研磨表面を構成する、項目１０に記載の方法。
［項目１２］
前記機能表面が、導電性表面を構成する、項目１０に記載の方法。
［項目１３］
前記機能表面が、光操作表面を構成する、項目１０に記載の方法。
［項目１４］
前記基材が複合フィルムを含む、項目１に記載の方法。
［項目１５］
前記基材上に図形を印刷する工程を更に含む、項目１に記載の方法。
［項目１６］
前記基材上に基準マークを印刷する工程を更に含み、前記基準マークが、前記３次元印刷オブジェクト上の特定の点に対応する、項目１５に記載の方法。
［項目１７］
前記３次元印刷オブジェクトが、前記基準マークのうちの少なくともいくつかに対応する印刷された印を含み、前記取り付ける工程が、前記基準マークを関連する印と位置合わせさせることを更に含む、項目１６に記載の方法。
［項目１８］
前記基材上に図形を印刷する工程が、前記基材上に歪められた画像を印刷することを含み、前記歪められた画像は、前記取り付ける工程の後に歪んでいないように見えるように歪められている、項目１５に記載の方法。
［項目１９］
前記基材が熱可塑性フィルムを含む、項目１に記載の方法。
［項目２０］
前記接着剤層が熱硬化性接着剤を含み、前記加えられる熱が、前記熱硬化性接着剤と関連する熱硬化を開始するのに十分である、項目１に記載の方法。
［項目２１］
表面が修正された３次元印刷オブジェクトであって、
ステップ型の印刷アーティファクトのある第１の表面を有する３次元印刷部品と、
第１の主表面及び第２の主表面を有する基材を含む伸張可能な接着剤付きフィルムであって、前記第２の主表面が接着剤層と面している、伸張可能な接着剤付きフィルムとを含み、
前記接着剤層が前記基材を前記第１の表面に結合し、前記第１の表面の一区域に関連する前記ステップ型の印刷アーティファクトが実質上検出不能である、表面が修正された３次元印刷オブジェクト。
［項目２２］
前記基材が印刷基材である、項目２１に記載の表面が修正された３次元印刷オブジェクト。
［項目２３］
前記接着剤層が前記第１の表面に密着している、項目２２に記載の表面が修正された３次元印刷オブジェクト。
［項目２４］
前記基材の前記第１の表面が機能表面である、項目２１に記載の表面が修正された３次元印刷オブジェクト。
［項目２５］
前記機能表面が、光操作表面を構成する、項目２４に記載の表面が修正された３次元印刷オブジェクト。
［項目２６］
前記接着剤層及び前記基材が公称厚さを有し、前記接着剤層及び前記基材の組み合わせた公称厚さが０．５ミル〜１０ミル（０．０１ｍｍ〜０．３ｍｍ）である、項目２１に記載の表面が修正された３次元印刷オブジェクト。
【手続補正２】
【補正対象書類名】特許請求の範囲
【補正対象項目名】全文
【補正方法】変更
【補正の内容】
【特許請求の範囲】
【請求項１】
順次３Ｄ積層によって作られた、少なくとも第１の表面を有する３次元印刷オブジェクトの表面を修正する方法であって、
ステップ型の印刷アーティファクトを有する３次元印刷オブジェクトの前記第１の表面に、伸張可能な接着剤付きフィルムを適用することを含み、前記接着剤付きフィルムが、第１の主表面及び第２の主表面を有する基材を含み、前記第２の主表面上に接着剤層が配置されており、
前記適用することが、前記接着剤付きフィルムの区域を伸張させることと、前記区域を前記第１の表面の一区域上へ押し付けることとを含み、
前記第１の表面の前記区域に関連する前記ステップ型の印刷アーティファクトが、前記適用することの後に実質上検出不能である、方法。
【請求項２】
前記適用することが、前記接着剤層を前記第１の表面に密着させることを更に含む、請求項１に記載の方法。
【請求項３】
前記接着剤付きフィルムを適用することの前に、前記第１の表面を前処理することを更に含む、請求項１に記載の方法。
【請求項４】
前記接着剤層が感圧接着剤を含む、請求項１に記載の方法。
【請求項５】
前記適用することが、前記接着剤付きフィルムの前記区域に熱を加えることを更に含み、前記区域を押し付けることが、前記接着剤付きフィルムの前記熱が加えられた区域を押し付けることを含む、請求項１に記載の方法。
【請求項６】
前記伸張可能な接着剤付きフィルムがコンプライアントフィルムである、請求項１に記載の方法。
【請求項７】
前記接着剤層が連続した接着剤層である、請求項１に記載の方法。
【請求項８】
前記基材が公称厚さを有し、前記接着剤層が公称厚さを有し、前記基材及び前記接着剤層の前記公称厚さが合わせて０．５ミル〜１５ミルである、請求項１に記載の方法。
【請求項９】
前記基材の第１の主表面が、機能表面を構成する、請求項１に記載の方法。
【請求項１０】
前記機能表面が、研磨表面、導電性表面、又は光操作表面の内の１つを構成する、請求項９に記載の方法。
【請求項１１】
前記基材上に図形を印刷することを更に含む、請求項１に記載の方法。
【請求項１２】
前記基材上に基準マークを印刷することを更に含み、前記基準マークが、前記３次元印刷オブジェクト上の特定の点に対応する、請求項１１に記載の方法。
【請求項１３】
前記接着剤層が熱硬化性接着剤を含み、前記加えられる熱が、前記熱硬化性接着剤と関連する熱硬化を開始するのに十分である、請求項１に記載の方法。
【請求項１４】
表面が修正された３次元印刷オブジェクトであって、
ステップ型の印刷アーティファクトのある第１の表面を有する３次元印刷部品と、
第１の主表面及び第２の主表面を有する基材を含む伸張可能な接着剤付きフィルムであって、前記第２の主表面が接着剤層と面している、伸張可能な接着剤付きフィルムとを含み、
前記接着剤層が前記基材を前記第１の表面に結合し、前記第１の表面の一区域に関連する前記ステップ型の印刷アーティファクトが実質上検出不能である、表面が修正された３次元印刷オブジェクト。
【請求項１５】
前記基材が印刷基材である、請求項１４に記載の表面が修正された３次元印刷オブジェクト。
【請求項１６】
前記基材の前記第１の表面が機能表面である、請求項１４に記載の表面が修正された３次元印刷オブジェクト。